(57)【要約】【課題】人工透析装置に関して、施設の停電時に、患者の不安除去や操作の安全性確保に必要な照明を与えることが可能な照明装置付き人工透析装置を提供する。【解決手段】少なくとも施設の停電時に照明対象部位を照明可能な照明装置を有することを特徴とする照明装置付き人工透析装置であり、停電に伴う施設の照明停止時に、透析装置や患者の照明対象部位を照明することにより、患者の不安を除去し、操作の安全性を確保する。【選択図】図１
2007105159.tif 000002
【特許請求の範囲】
【請求項１】
少なくとも施設の停電時に照明対象部位を照明可能な照明装置を有することを特徴とする、照明装置付き人工透析装置。
【請求項２】
前記照明装置が自動的にまたは手動操作により作動されるものからなる、請求項１に記載の照明装置付き人工透析装置。
【請求項３】
前記照明装置が人工透析装置の外部または／および内部に取り付けられている、請求項１または２に記載の照明装置付き人工透析装置。
【請求項４】
前記照明装置が、照度を可変可能に構成されている、請求項１〜３のいずれかに記載の照明装置付き人工透析装置。
【請求項５】
前記照明装置を作動させる駆動装置が人工透析装置に内蔵または外付けされている、請求項１〜４のいずれかに記載の照明装置付き人工透析装置。
【請求項６】
前記照明装置が、人工透析装置および／または患者の照明対象部位を照明可能な装置からなる、請求項１〜５のいずれかに記載の照明装置付き人工透析装置。
【請求項７】
前記照明対象部位を予め選択および／または設定できるように構成されている、請求項１〜６のいずれかに記載の照明装置付き人工透析装置。
【請求項８】
予め設定された照明対象部位とは別の照明対象部位を、任意の時刻に手動設定できるように構成されている、請求項７に記載の照明装置付き人工透析装置。
【請求項９】
前記照明装置を作動させる駆動装置が、電源装置に接続されている、請求項１〜８のいずれかに記載の照明装置付き人工透析装置。
【請求項１０】
前記電源装置が、外部電源監視回路を備えた無停電電力システムからなる、請求項９に記載の照明装置付き人工透析装置。
【請求項１１】
前記無停電電力システムが人工透析装置に内蔵されている、請求項１０に記載の照明装置付き人工透析装置。
【請求項１２】
前記照明装置が作動したことを報知する音声ガイダンス機構が設けられている、請求項１〜１１のいずれかに記載の照明装置付き人工透析装置。
【発明の詳細な説明】
【技術分野】
【０００１】
本発明は、照明装置付き人工透析装置に関し、とくに施設の停電時にも人工透析の実行や継続を可能とする照明装置付き人工透析装置に関する。
【背景技術】
【０００２】
従来からの人工透析装置には、例えば、ＵＰＳ（無停電電力システム；Uninterruptible Power System）やバッテリーが搭載されているものが知られており、人工透析を行うための施設の停電時にも電源を外部電源から切替えることで、血液ポンプ等を駆動し、血液の凝固防止や返血作業を行えるようになっている。また最近では、電源を監視し停電時は自動でＵＰＳを駆動するものもある。しかしながら、たとえ装置稼働のための電源を切替えても、施設内は停電状態であるため、透析の時間や天候によっては、停電復旧までの間は施設の照明が点かず、返血作業等は暗い中で行わなければならず、患者に不安を与える要因となる。また、暗い中での装置の操作は、安全性に問題を生じるおそれがある。
【０００３】
このような施設の停電時に、人工透析装置に着目して、適切に照明を与えることができるようにしたシステム等は見当たらない。
【発明の開示】
【発明が解決しようとする課題】
【０００４】
そこで本発明の課題は、人工透析装置に関して、少なくとも施設の停電時に、患者の不安除去や操作の安全性確保に必要な照明を与えることが可能な照明装置付き人工透析装置を提供することにある。
【課題を解決するための手段】
【０００５】
上記課題を解決するために、本発明に係る照明装置付き人工透析装置は、少なくとも施設の停電時に照明対象部位を照明可能な照明装置を有することを特徴とするものからなる。
【０００６】
上記照明装置は自動的にまたは手動操作により作動されるものからなる。
【０００７】
すなわち、施設の停電時には、自動的にまたは手動操作により照明装置が作動されて、所定の照明対象部位が照明される。この照明装置による照明は、停電時に点灯させることに加え、例えば常に点灯している照明を停電時も継続できる構成も含む概念である。つまり、本発明における、施設の停電時に照明対象部位を照明可能な照明装置とは、停電時に照明を起動する装置と、停電前にも常時点灯している照明を、停電時にもその照明状態を維持継続する装置との両方を含む概念である。
【０００８】
照明装置自体についてはとくに限定しないが、近年では高輝度ＬＥＤ等の発達により、小型のバッテリーでも充分な光量と照明時間を確保できるようになっており、このような市販の照明装置を使用すればよい。
【０００９】
上記照明装置は、人工透析装置の外部または内部、あるいはそれらの両方に取り付けることができる。照明対象部位に応じて取り付け位置を設定すればよい。
【００１０】
また、上記照明装置は、必要に応じて照度を可変できるように構成されていることが好ましい。これにより、照明対象部位に応じて、および、その部位の操作に必要な明るさ等に応じて、最適な照度に設定できるようになる。
【００１１】
照明装置は、一般にバッテリー等の電源から供給される電力に対して、照明装置作動用駆動装置を介して駆動されるが、その駆動装置自体は人工透析装置に内蔵または外付けされている構成とすることができる。
【００１２】
また、上記照明装置は、人工透析装置の照明対象部位あるいは患者の照明対象部位、もしくはその両方を照明可能な装置からなることが好ましく、さらにはこれらの周辺も含めて照明可能な装置であることが好ましい。人工透析装置の照明対象部位としては、例えば、人工透析装置に設けられた血液ポンプ、血液ポンプの回転速度調整用ボリューム、その他の各種操作スイッチ等を挙げることができる。とくに、血液ポンプ、血液ポンプの回転速度調整用ボリュームが照明されると、患者の不安除去はもとより、操作の安全性確保もはかれるようになる。また、照明装置が、人工透析装置に設けられた各種の操作スイッチを照明可能な装置からなると、一層、操作の安全性確保をはかることができる。スイッチやボリュームを照明する装置は、その内部や背後に照明を設け、スイッチやボリュームが発光する構造に構成してもよい。また、上記照明装置を、人工透析中の患者の腕付近を照明可能な装置から構成とすると、抜針等の際の作業安全性を確保できるようになる。
【００１３】
また、上記照明装置による照明対象部位を予め選択および／または設定できるように構成されていることが好ましい。すなわち、患者の不安除去や操作の安全性確保上重要な照明対象部位を予め選択しておくことで、あるいは選択して設定しておくことで、施設の停電時に確実にそれら必要箇所を照明できるようになる。
【００１４】
また、上記照明装置により照明される、予め設定された照明対象部位とは別の照明対象部位を、任意の時刻に手動設定できるように構成しておくこともできる。このようにすれば、必要に応じて、照明対象部位を付加したり、別途選択したりすることが可能になり、一連の種々の操作を要する場合には、極めて便利になる。
【００１５】
また、上記照明装置を作動させる駆動装置が、電源装置、つまり、専用の電源装置に接続されている構成とすることができる。この電源装置は、例えば、外部電源監視回路を備えた無停電電力システムから構成することができるが、特にこれに限定されない。無停電電力システムは人工透析装置に内蔵されている構成とすることもできるが、外付けでもよい。なお、外部電源監視回路、バッテリー等を備えた無停電電力システムは、汎用的なシステムであり、容易に入手でき、容易に組み込むことができる。
【００１６】
さらに、本発明に係る照明装置付き人工透析装置においては、上記照明装置が作動したことを報知する音声ガイダンス機構が設けられている構成とすることもできる。このような音声ガイダンス機構を設けておくことにより、より操作の安全性を確保可能となる。この場合、音声ガイダンスとともに、あるいは音声ガイダンスとは別に、例えば、各種操作スイッチの点灯や点滅等を行わせることも可能である。
【発明の効果】
【００１７】
本発明に係る照明装置付き人工透析装置によれば、施設の停電時に、人工透析装置や患者の照明対象部位やその周辺の照明されることが望ましい部位を自動的にあるいは手動切替え等により照明できるようになるので、たとえ施設の照明が停止され暗い中で透析を続行する場合にあっても、透析続行に必要な場所の照明は確保され、患者の不安を除去できるとともに、操作の安全性を確保することが可能になる。
【発明を実施するための最良の形態】
【００１８】
以下に、本発明の望ましい実施の形態を、図面を参照して説明する。
図１は、本発明の一実施態様に係る照明装置付き人工透析装置１を示している。図１において、２は人工透析装置を示しており、本実施態様では、人工透析装置２内に、停電監視回路３と電源４（例えば、バッテリー）を備えた電源装置５（電源切替え装置）が組み込まれている。この電源装置５には、外部電源から例えばＡＣ１００Ｖの電力が供給されている。
【００１９】
電源装置５は、所定の照明対象部位を照明可能な照明装置６の駆動装置を兼ねた内部回路７に接続されており、内部回路７を介して照明装置６が必要に応じて点灯されるようになっている。また、内部回路７には血液ポンプ８や血液ポンプ回転速度調整用ボリューム９、さらには各種スイッチ１０が接続されている。
【００２０】
本実施態様では、照明装置６は、人工透析装置２の外部に取り付けられており、血液ポンプ８およびその周辺と血液ポンプ回転速度調整用ボリューム９およびその周辺の両方を照明できるようになっている。また、この照明装置６は、各種スイッチ１０も照明できるように構成されていることが好ましい。さらには、照明装置６により患者の腕付近も照明できるように構成されていることが好ましい。ただし、照明装置６は、図１では一つの装置として図示されているが、各照明対象部位毎に照明できるように二つ以上の照明装置に構成してもよく、さらに、人工透析装置２の内部に取り付け、内側から照明あるいは発光できるようにしてもよい。
【００２１】
上記のように構成された照明装置付き人工透析装置１においては、施設の停電が発生した際には、それを停電監視回路３が感知し、電源４からの電力が内部回路７に供給され、人工透析装置２の各部の作動が確保されるとともに、照明装置６が点灯されて所定の照明対象部位、図示例では、血液ポンプ８およびその回転速度調整用ボリューム９の両方が照明される。また、必要に応じて、各種スイッチ１０も照明される。
【００２２】
照明装置６が起動されることにより、暗い中での透析は回避され、患者に不安を与えることが防止される。また、血液ポンプ回転速度調整用ボリューム９、さらには必要に応じて各種スイッチ１０も照明されるので、操作の安全性が確保される。さらに、患者の腕付近も照明できるようにしておけば、抜針等の操作の容易化、安全性の確保もはかることができる。
【００２３】
また、例えば複数の照明対象部位に対して複数の照明装置を設けておき、必要に応じていずれかの照明装置の照度を可変調整できるようにしておけば、各照明対象部位ごとに最適な照度に設定することが可能になり、操作安全性確保の面からより最適な形態を実現できる。
【００２４】
さらに、図示は省略するが、照明装置６が作動したことを報知する音声ガイダンス機構を設けておけば、一層高い安全性の確保や、操作の便利性向上をはかることが可能になる。
【００２５】
図２は、本発明の別の実施態様に係る照明装置付き人工透析装置１１を示しており、とくに施設の停電時に自動的に照明装置を起動できる自動照明装置付き人工透析装置を示している。図２において、１２は人工透析装置を示しており、本実施態様では、人工透析装置１２内に、外部電源監視回路１３とバッテリー１４を備えた無停電電力システム（以下、ＵＰＳと呼ぶ）１５が組み込まれている。このＵＰＳ１５に、外部電源から例えばＡＣ１００Ｖの電力が供給されている。
【００２６】
ＵＰＳ１５は、中央制御ユニット（以下、ＣＰＵと呼ぶ）１６と、ＡＣ／ＤＣコンバータ１７に接続されており、ＡＣ／ＤＣコンバータ１７は、照明装置１８を起動させる駆動装置（ドライバー、Ｄ／Ｖと表示してある）１９と、人工透析に用いる血液ポンプ２０を起動させる駆動装置（ドライバー、Ｄ／Ｖと表示してある）２１に接続されている。駆動装置１９、２１には、ＣＰＵ１６からの制御信号が送られ、該制御信号に応じて、照明装置１８、血液ポンプ２０の駆動をコントロールできるようになっている。
【００２７】
ＣＰＵ１６には、血液ポンプ２０の回転速度調整用ボリューム２２からの信号、および、各種操作のためのスイッチ２３からの信号が入力されるようになっており、これら入力信号に応じて、人工透析装置１２による透析運転が行われるようになっている。
【００２８】
本実施態様では、照明装置１８は、人工透析装置１２の外部に取り付けられており、血液ポンプ２０およびその周辺と血液ポンプ回転速度調整用ボリューム２２およびその周辺の両方を照明できるようになっている。また、この照明装置１８は、各種スイッチ２３も照明できるように構成されていることが好ましい。さらには、照明装置１８により患者の腕付近も照明できるように構成されていることが好ましい。ただし、照明装置１８は、図２では一つの装置として図示されているが、各照明対象毎に照明できるように二つ以上の照明装置に構成してもよく、さらに、人工透析装置１２の内部に取り付け、内側から照明あるいは発光できるようにしてもよい。
【００２９】
上記のように構成された照明装置付き人工透析装置１１においては、施設の停電が発生した際には、それをＵＰＳ１５の外部電源監視回路１３が感知し、ＣＰＵ１６からの指令にしたがって、バッテリー１４からＡＣ／ＤＣコンバータ１７を介して供給される電力を、駆動装置１９、２１を介して照明装置１８、血液ポンプ２０に供給する。したがって、血液ポンプ２０が駆動中である場合にはその駆動が継続されるとともに、照明装置１８が起動されて、血液ポンプ２０およびその回転速度調整用ボリューム２２の両方が照明される。また、必要に応じて、各種スイッチ２３も照明される。
【００３０】
照明装置１８が起動されることにより、暗い中での透析は回避され、患者に不安を与えることが防止される。また、血液ポンプ回転速度調整用ボリューム２２、さらには必要に応じて各種スイッチ２３も照明されるので、操作の安全性が確保される。さらに、患者の腕付近も照明できるようにしておけば、抜針等の操作の容易化、安全性の確保もはかることができる。
【００３１】
また、例えば複数の照明対象に対して複数の照明装置１８を設けておき、必要に応じていずれかの照明装置の照度を可変調整できるようにしておけば、各照明対象部位ごとに最適な照度に設定することが可能になり、操作安全性確保の面からより最適な形態を実現できる。
【００３２】
さらに、図示は省略するが、照明装置１８が作動したことを報知する音声ガイダンス機構を設けておけば、一層高い安全性の確保や、操作の便利性向上をはかることが可能になる。
【図面の簡単な説明】
【００３３】
【図１】本発明の一実施態様に係る照明装置付き人工透析装置の概略構成図である。
【図２】本発明の別の実施態様に係る照明装置付き人工透析装置の概略構成図である。
【符号の説明】
【００３４】
１  照明装置付き人工透析装置
２  人工透析装置
３  停電監視回路
４  電源
５  電源装置
６  照明装置
７  内部回路
８  血液ポンプ
９  血液ポンプ回転速度調整用ボリューム
１０  各種スイッチ
１１  照明装置付き人工透析装置
１２  人工透析装置
１３  外部電源監視回路
１４  バッテリー
１５  無停電電力システム
１６  ＣＰＵ
１７  ＡＣ／ＤＣコンバータ
１８  照明装置
１９、２１  駆動装置
２０  血液ポンプ
２２  血液ポンプ回転速度調整用ボリューム
２３  各種スイッチ
【図１】
2007105159.tif 000003
【図２】
2007105159.tif 000004